(57)【要約】【課題】被写体に均一な白色光を照射するとともに、被写体に照射される光の大きさを調整可能な閃光装置を提供する。【解決手段】本発明の閃光装置（１０，２０，３０）は、短波長光を発光する発光部（１２，２２，３２）と、前記発光部（１２，２２，３２）より所定の光軸方向に発光された前記短波長光を反射させる反射面（１４ａ，２４ａ，３４ａ）上に前記短波長光を白色光に変換する蛍光材を有し、前記蛍光材によって前記短波長光から変換された白色光を被写体に照射する反射部（１４，２４，３４）と、を備え、前記発光部（１２，２２，３２）と前記反射部（１４，２４，３４）との間の、前記光軸方向における相対距離が可変であることを特徴とする。【選択図】図１
2009222949.tif 000002
【特許請求の範囲】
【請求項１】
短波長光を発光する発光部と、
前記発光部より所定の光軸方向に発光された前記短波長光を反射させる反射面上に前記短波長光を白色光に変換する蛍光材を有し、前記蛍光材によって前記短波長光から変換された白色光を被写体に照射する反射部と、を備え、
前記発光部と前記反射部との間の、前記光軸方向における相対距離が可変であることを特徴とする閃光装置。
【請求項２】
請求項１に記載の閃光装置であって、
前記発光部を前記反射部に対して前記光軸方向に移動させる駆動機構を備えること、
を特徴とする閃光装置。
【請求項３】
請求項１又は２に記載の閃光装置であって、
前記反射面は、湾曲可能であり、前記発光部の前記反射部に対する相対移動に伴い、前記反射面の曲率が可変であること、
を特徴とする閃光装置。
【請求項４】
請求項１〜３のいずれか１項に記載の閃光装置であって、
前記発光部が、前記光軸方向と垂直な面内において移動可能であること、
を特徴とする閃光装置。
【請求項５】
請求項１〜４のいずれか１項に記載の閃光装置であって、
前記発光部は、前記反射部に対して前記被写体と同じ方向に配置されていること、
を特徴とする閃光装置。
【請求項６】
請求項５に記載の閃光装置であって、
前記発光部は、透明部材で形成された保持部によって保持されていること、
を特徴とする閃光装置。
【発明の詳細な説明】
【技術分野】
【０００１】
本発明は、被写体を照射する閃光装置に関するものである。
【背景技術】
【０００２】
従来、被写体を照射する閃光装置として、キセノン管を有する閃光装置が使用されている。しかし、キセノン管は、高電圧が必要であるため、装置が大型化し、コストも高くなる。このため、低電圧で発光可能なＬＥＤ（発光ダイオード）を使用した閃光装置が提案されている。このＬＥＤを有する閃光装置としては、蛍光材が側面に塗布されたハウジング内に青色ＬＥＤを配設したものが知られている。この閃光装置では、青色ＬＥＤから発せられて直接被写体に向かう青色光と、青色ＬＥＤから発せられてハウジングの側面で反射され、蛍光材で他の色に変換された光とを混色させることにより白色光が生成される（例えば特許文献１参照）。
【特許文献１】特表２００４−５０５１７２号公報
【発明の開示】
【発明が解決しようとする課題】
【０００３】
しかし、上記従来技術においては、青色ＬＥＤから発せられて直接被写体に向かう青色光と、青色ＬＥＤから発せられてハウジングの側面で反射されて蛍光材により他の色に変換された光との混色を一様に行うことは困難で、被写体に照射される光の中央部は、青色ＬＥＤから直接到達する青色光の影響が強く、青みがかる可能性がある。また、上記従来技術においては、閃光装置内部において照射範囲を被写体に合わせて変更することができなかった。このため、照射範囲を変更するには、閃光装置自体と被写体との距離を変更させる必要があった。
【０００４】
本発明の課題は、被写体に均一な白色光を照射するとともに、被写体に照射される光の照射範囲を調整可能な閃光装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、短波長光を発光する発光部（１２，２２，３２）と、前記発光部（１２，２２，３２）より所定の光軸方向に発光された前記短波長光を反射させる反射面（１４ａ，２４ａ，３４ａ）上に前記短波長光を白色光に変換する蛍光材を有し、前記蛍光材によって前記短波長光から変換された白色光を被写体に照射する反射部（１４，２４，３４）と、を備え、前記発光部（１２，２２，３２）と前記反射部（１４，２４，３４）との間の、前記光軸方向における相対距離が可変であることを特徴とする閃光装置（１０，２０，３０）である。
請求項２に記載の発明は、請求項１に記載の閃光装置（１０，２０，３０）であって、前記発光部（１２，２２，３２）を前記反射部（１４，２４，３４）に対して前記光軸方向に移動させる駆動機構（１９ａ，２９ａ）を備えること、を特徴とする閃光装置（１０，２０，３０）である。
請求項３に記載の発明は、請求項１又は２に記載の閃光装置（３０）であって、前記反射面（３４ａ）は、湾曲可能であり、前記発光部（３２）の前記反射部（３４）に対する相対移動に伴い、前記反射面（３４ａ）の曲率が可変であること、を特徴とする閃光装置（３０）である。
請求項４に記載の発明は、請求項１〜３のいずれか１項に記載の閃光装置であって、前記発光部が、前記光軸方向と垂直な面内において移動可能であること、を特徴とする閃光装置である。
請求項５に記載の発明は、請求項１〜４のいずれか１項に記載の閃光装置（２０）であって、前記発光部（２２）は、前記反射部（２４）に対して前記被写体と同じ方向に配置されていること、を特徴とする閃光装置（２０）である。
請求項６に記載の発明は、請求項５に記載の閃光装置（２０）であって、前記発光部（２２）は、透明部材で形成された保持部によって保持されていること、を特徴とする閃光装置（２０）である。
なお、符号を付して説明した構成は、適宜改良してもよく、また、少なくとも一部を他の構成物に代替してもよい。
【発明の効果】
【０００７】
本発明によれば、被写体に均一な白色光を照射するとともに、被写体に照射される光の照射範囲を調整可能な閃光装置を提供することができる。
【発明を実施するための最良の形態】
【０００８】
（第１実施形態）
以下、図面等を参照して、本発明の第１実施形態について説明する。図１は本発明の第１実施形態の閃光装置１０の概略図である。第１実施形態の閃光装置１０は、短波長光を発光する発光部１２と、発光部１２が内部に配置された収納部１３と、発光部１２から発せられた光を反射する反射部１４とを備える。なお、以下の説明において、被写体１５に進む光の光軸の方向をＺプラス方向とし、発光部１２より反射部１４へ進む光の光軸の方向をＹプラス方向軸とし、それらと垂直な方向をＸ方向とする。
【０００９】
発光部１２は、青色ＬＥＤ１２ａ（青色発光ダイオード）を備える。一般にＬＥＤはエレクトロルミネセンス効果を利用するもので、白熱電球やキセノン管に比べて寿命が長く、また低い消費電力で大きな光エネルギーを得ることができる。青色ＬＥＤ１２ａは、主に窒化ガリウムを材料とする、青色光を発するＬＥＤである。
【００１０】
収納部１３は、底面とその周囲を包囲する側面とを有する皿状の容器である。その内面１３ａは鏡面状に形成され、収納部１３の内部に、発光部１２が配置されている。収納部１３の底部は、保持部材１９に固定されている。保持部材１９はＺマイナス方向に延び、そのＺマイナス側端部は保持部材をＹ方向に駆動可能な駆動装置１９ａに保持されている。駆動装置１９ａは、図示しない駆動制御回路の制御により保持部材１９をＹ方向に移動させる。この駆動装置１９ａにより、保持部材１９に載置された収納部１３、すなわち発光部１２はＹ方向に移動可能となっている。なお、この駆動装置１９ａには、保持部材１９のＹ方向の位置（換言すれば発光部１２のＹ方向の位置）を検出する位置検出器が設けられている。
【００１１】
反射部１４は、その全面に一様（均一）に蛍光材が塗布された反射面１４ａを有する板部材である。蛍光材は、短波長光をその波長より長い波長の光に変換するもので、この蛍光材は入射した短波長光である青色光を、白色光に変換するものである。反射面１４ａは、発光部１２から反射面１４ａに入射する光束の光軸１７ａを略直角に方向転換するように配置されている。すなわち、青色光の光軸１７ａは、反射面１４ａに入射角４５°で入射し、反射角４５°で反射される。
【００１２】
図２は閃光装置１０の概略斜視図である。図２（ａ）〜（ｃ）に示すように、反射部１４の反射面１４ａは、被写体１５に照射される光束が横方向（Ｘ方向）に広がるように湾曲している。青色ＬＥＤ１２ａから発せられた光は、収納部１３の開口部１３ｂより反射部１４の方向へ若干広がりながら進み、反射面１４ａで反射されて白色光に変換される。このとき、反射面１４ａは湾曲しているため、光軸１７ａに対して垂直な方向の断面が略円形である開口部１３ｂより反射面１４ａに進む光は、反射面１４ａにより反射され、垂直な方向の断面が略楕円形の光に変換される。
【００１３】
図２（ａ）は、発光部１２と反射面１４ａとの間の距離がＹ１である場合を示した図である。図１に示すように、発光部１２は、保持部材１９を介して駆動装置１９ａによってＹ方向に移動可能であり、図２（ｂ）は図２（ａ）の状態から、発光部１２がＹ方向に反射部１４に対して近づく方向へ移動し、発光部１２と反射面１４ａとの間の距離がＹ２になった場合を示した図である。ここでＹ２＜Ｙ１である。また、図２（ｃ）は発光部１２が図２（ａ）の状態からＹ方向に反射部１４から離れる方向に移動し、発光部１２と反射面１４ａとの間の距離がＹ３になった場合を示した図である。ここでＹ３＞Ｙ１である。
【００１４】
図３は反射面１４ａにより反射されて被写体１５に照射された光を示した図であり、図示するように、反射面１４ａが湾曲しているため、被写体１５に照射される白色光１８の照射範囲は楕円形となる。図３（ａ）は図２（ａ）における発光部１２と反射面１４ａとの間の距離がＹ１である場合の白色光１８の照射範囲を示した図である。
【００１５】
図３（ｂ）は図２（ｂ）における発光部１２と反射面１４ａとの間の距離がＹ２である場合の白色光１８の照射範囲を示した図である。Ｙ２＜Ｙ１であり、全体として発光部から被写体までの光路が短くなるため、白色光１８の照射範囲は図３（ａ）の場合と比べて狭くなる。照射範囲が狭くなることにより、光が集中して輝度が向上し、より遠くまで光が届くようになる。
【００１６】
図３（ｃ）は、図２（ｃ）における発光部１２と反射面１４ａとの間の距離がＹ３である場合の白色光１８の照射範囲を示した図である。Ｙ３＞Ｙ１であり、全体として発光部から被写体までの光路が長くなるため、白色光１８の照射範囲を広くすることができる。このように、発光部１２と反射面１４ａとの間の距離を変更することにより白色光１８の照射範囲を変更することができる。なお、本実施形態では反射面が湾曲している反射部を用いているが、反射面が湾曲していない（平面状の）反射部を用いても、上述のように、発光部１２と反射面１４ａとの相対距離を変えることにより、照射範囲を変えることができる。
【００１７】
図４は第１実施形態に対する比較形態における閃光装置１０’の概略図である。比較形態の閃光装置１０’は、第１実施形態と異なり、発光部１２’と収納部１３’のみ備え、反射部を備えていないため、収納部１３’の開口部１３ｂ’より発せられる光は、直接被写体１５’に照射される。また、発光部１２’を駆動する駆動装置も設けられていない。
【００１８】
比較形態の発光部１２’は本実施形態と同様に青色ＬＥＤ１２ａ’を備える。収納部１３’は本実施形態と同様に皿状の容器であるが、その内面１３ａ’には蛍光体が塗布されている。この蛍光体は、青色ＬＥＤ１２ａ’から発せられる青色光を、より波長の長い光に変換するものである点で第１実施形態における反射面１４ａに塗布されている蛍光体と同じである。しかし、第１実施形態の蛍光体は、青色光を直接白色光に変換する蛍光体であるのに対して、比較形態の蛍光体は、青色光を、変換されずに直進した青色光と混合した場合に白色光となる光、例えば黄色光に変換するものである。
【００１９】
比較形態によると、青色ＬＥＤ１２ａ’より発せられた青色光１７’の一部は収納部１３’の内面１３ａ’で反射され、黄色光１８ａ’に変換される。そして、収納部１３’の開口部１３ｂ’からは、青色ＬＥＤ１２ａ’より発せられた反射されていない青色光１７’と、収納部１３’の内面１３ａ’で反射されて黄色に変換された黄色光１８ａ’とが放射される。これらの光は、被写体１５’に照射される際に青色光と黄色光が混合された均一な白色光となるのが理想である。しかし、実際には、中央部において青色ＬＥＤ１２ａ’から直接到達する青色光１７’の影響が大きくなる。図５は比較形態の場合において被写体１５ａ’に照射される光１９’を示したものである。図示するように、被写体１５ａ’に照射される光１９’は、中央部１９ａ’が青みがかり、他の部分１９ｂ’は若干黄色い光となり、均一な白色光を形成することは困難である。
【００２０】
また、比較形態において照射光は円形であり、写真の画角に合わせて横長の照射光を形成することはできない。発光部１２’を移動させる機構も設けられていないため、閃光装置１０’自体を被写体１５’に対して移動させない限り、照射範囲を変更することもできない。
【００２１】
以上、第１実施形態によると、以下の効果を有する。
（１）第１実施形態によると、発光部１２を反射面１４ａに対して相対移動させる駆動装置１９ａを備える。この駆動装置１９ａにより発光部１２と反射面１４ａとの間の距離を変更し、白色光１８の照射範囲を変更することができる。
（２）発光部１２及び収納部１３を移動させるだけで白色光１８の照射範囲を変更することができるため、例えばレンズを使った光学系による照射範囲の変更方法のような大掛かりな装置を用いる必要がない。このため、低コストで照射範囲を変更することができ、駆動電力も少なくてすむ。
（３）比較形態においては、均一な白色光を被写体１５’に照射することは困難であるが、第１実施形態によると、被写体１５に対して均一な白色光１８を照射することができる。
（４）均一な白色光１８の照射は、反射部１４を設け、反射部１４の反射面１４ａに蛍光体を塗布するという簡単な構成で達成することができる。
（５）比較形態では小さな収納部１３’の内面１３ａ’に蛍光材料を塗布するという難易度の高い加工技術が必要であるが、第１実施形態で蛍光材は、反射部１４の反射面１４ａに塗布されるため、塗布が容易であり、比較形態の閃光装置１０’と比べて閃光装置１０を安価に製造することができる。
（６）反射面１４ａが湾曲しているため、被写体１５に照射される白色光１８の照射範囲を楕円にすることができ、照射範囲を、例えば、カメラの撮影画角に近い横長の形状とすることができる。
（７）反射面１４ａを湾曲させるだけで被写体１５に照射される白色光１８の照射範囲を楕円にすることができ、楕円形状の照射範囲を、複雑な光学系を備えず、また高精度な加工も要せず、低価格で実現することができる。
（第２実施形態）
【００２２】
図６（ａ）〜（ｃ）は本発明の第２実施形態の閃光装置２０の概略斜視図である。第２実施形態は、青色ＬＥＤ２２ａを有する発光部２２を内部に備える収納部２３が、反射部２４に正対して配置されている点が第１実施形態と異なる。すなわち、発光部２２から発する光の光軸２７ａと反射部２４から反射される反射光の光軸２８ａとは互いに向きが異なる同一直線上にある。また、収納部２３は、透明な柱部材２９によって保持され、その柱部材２９は閃光装置２０の基台２６に固定されている。この柱部材２９は、駆動装置２９ａによりＺ方向に移動可能であり、すなわち、発光部２２は反射部２４に対してＺ方向に移動可能である。なお、他の構成は第１実施形態と同様であるため同様な部分の説明は省略する。
【００２３】
第２実施形態において、青色ＬＥＤ２２ａから発せられた光は、収納部２３の開口部２３ｂより反射部２４の方向へ若干広がりながら直進し、反射面２４ａで反射されて白色光に変換される。このとき、反射面２４ａは、第１実施形態と同様に湾曲しているため、開口部２３ｂより進む、光軸２７ａに対して垂直な方向の断面が略円形の光は、反射面２４ａにより反射され、光軸２８ａに対して垂直な方向の断面が略楕円形の光束に変換される。
【００２４】
第２実施形態においては、反射面２４ａから反射される白色光２８の光軸２８ａ上に発光部２２及び収納部２３が配置されているが、これらの発光部２２及び収納部２３は白色光２８の照射範囲に対して充分小さいため、陰が出たり、大きな光量落ちが発生したりすることはない。また、収納部２３を保持する柱部材２９も、白色光２８の照射範囲に対して充分小さいため反射光である白色光２８に対する影響は小さいが、さらに透明部材で製造されているため、影響はより小さくなる。
【００２５】
図６（ａ）は、発光部２２と反射面２４ａとの間の距離がＺ１である場合を示した図である。上述したように、発光部２２は、柱部材２９を介して駆動装置２９ａによってＺ方向に移動可能である。図６（ｂ）は発光部２２が図６（ａ）の状態からＺ方向に反射部２４側へ移動し、発光部２２と反射面２４ａとの間の距離がＺ２になった場合を示した図である。ここでＺ２＜Ｚ１である。また、図６（ｃ）は発光部２２がＹ方向に反射部２４から離れる方向に移動し、発光部２２と反射面２４ａとの間の距離がＺ３になった場合を示した図である。ここでＺ３＞Ｚ１である。
【００２６】
これらの図６（ａ）〜（ｃ）の場合における白色光２８の照射範囲は、図３（ａ）〜（ｃ）と同様になる。すなわち、発光部２２と反射面２４ａとの距離が近いと照射範囲は小さくなり、発光部２２と反射面２４ａとの距離が遠いと照射範囲は大きくなる。このように、発光部２２と反射面２４ａとの間の距離を変更することにより白色光２８の照射範囲を変更することができる。なお、本第２実施形態においても、上記第１実施形態で述べたのと同様に、反射部２４の反射面が平面状のものを用いたとしても、発光部２２と反射面２４ａとの相対距離を可変することにより、照射範囲を変えることができる。
【００２７】
以上、第２実施形態によると、第１実施形態の効果に加え、以下の効果を有する。
（１）発光部２２が反射光（白色光２８）の光軸２８ａ上に配置されるため、閃光装置２０における反射光の光軸２８ａに対して垂直な方向（Ｙ方向）の大きさを第１実施形態の場合と比べて小さくすることができる。
（２）上述したように、収納部２３を保持する柱部材２９が透明部材で製造されているため、反射光に対する影響を小さくすることができる。
（第３実施形態）
【００２８】
第３実施形態において閃光装置３０は、カメラ１００に内蔵されている。図７はカメラ１００の構成を示した図である。カメラ１００は、撮影レンズ１０１と、撮影レンズ１０１から入射した被写体像を結像するＣＣＤ等の撮像素子１０２と、を備える。
【００２９】
撮影レンズ１０１は、撮影画角を変更するズームレンズ１０１ａ、焦点を合わせるフォーカスレンズ１０１ｂ、シャッタ１０１ｃを備える。ズームレンズ１０１ａには、ズーム制御回路１１１が接続されており、ズーム制御回路１１１はズームレンズ１０１ａを駆動して撮影画角を変更する。フォーカスレンズ１０１ｂにはフォーカス制御回路１１２が接続されており、フォーカス制御回路１１２はフォーカスレンズ１０１ｂを駆動して焦点を合わせる。シャッタ１０１ｃにはシャッタ制御回路１１３が接続されており、シャッタ制御回路１１３はシャッタ１０１ｃを駆動して露光時間を制御する。
【００３０】
撮像素子１０２は撮影レンズ１０１によって結像された像を電気信号に変換するもので、撮像素子１０２には映像回路１０３が接続されている。映像回路１０３は撮像素子１０２の出力する電気信号を増幅し、デジタル信号に変換する。
【００３１】
映像回路１０３によってデジタル信号に変換された電気信号は、制御部１０４に出力される。この制御部１０４は、カメラ１００内における閃光装置３０の制御を含めたすべての動作を制御するもので、上述のシャッタ制御回路１１３を介してシャッタ１０１ｃの開閉も行う。制御部１０４には、さらに操作検出回路１０５が接続され、操作検出回路１０５には電源スイッチ１０５ａ、レリーズスイッチ１０５ｂ等の操作スイッチが接続されている。
【００３２】
また、制御部１０４には、モニタ制御回路１０６を介してＬＣＤ等のモニタ１０７が接続されている。モニタ１０７は撮影画像を表示するとともに、カメラ１００の各種設定事項を表示可能であり、ユーザはモニタ１０７の画面に表示された設定モードにおいてカメラ１００における各種設定を変更することができる。変更可能な設定の1つに、撮影する画像の縦横比（アスペクト比）がある。ユーザーは、複数の画像アスペクト比の設定メニュー（例えば「３：４」や「６：９」や「９：１６」など）の中から任意のものを選択することができる。
【００３３】
閃光装置３０は、カメラ１００の上部に着脱可能に設けられている。閃光装置３０の構成は、第１実施形態と略同様であるので、同様な部分の説明は省略する。閃光装置３０は、反射面３４ａの曲率を制御可能な反射面制御回路１０８が備えられており、反射面３４ａの曲率を変更することができる。反射面制御部１０８は制御部１０４に接続されている。本実施形態では、ユーザーによって上述のアスペクト比の中から任意のアスペクト比が選択されると、そのアスペクト比と発光部の位置（Ｙ方向の位置）とに応じた曲率が自動的に選択されて、反射面制御部１０８によりその選択された曲率に設定されるようになっている。なお、アスペクト比と発光部３２のＹ方向の位置と反射面の曲率との関係は反射面制御部１０８の中に、テーブル化されて記憶されている。又、反射面制御部１０８を、アスペクト比とは無関係にユーザー操作により任意に動作制御させて、ユーザーが任意の曲率を設定できるようにしても良い。なお、この反射面制御部１０８は、カメラ本体側１００に設けても、内光装置４０側に設けても良い。
【００３４】
また、発光部３２の青色ＬＥＤ３２ａは青色ＬＥＤ駆動回路１０９に接続され、その青色ＬＥＤ駆動回路１０９は制御部１０４に接続されている。青色ＬＥＤ駆動回路１０９は、ユーザのレリーズスイッチ１０５ｂの操作に応じて、青色ＬＥＤ３２ａの点灯・消灯を制御する。閃光装置３０は、例えば、撮影時、セルフ時、赤目防止用の照明時、撮影前の測光時に発光されて被写体を照明する。
【００３５】
さらに閃光装置３０は、保持部３９の駆動装置３９ａを駆動するための駆動制御回路１１０を備える。駆動制御回路１１０は制御部１０４からの信号に応じて駆動装置３９ａを駆動させ、保持部３９、すなわち発光部３２を上下する。制御部１０４からは、フォーカスレンズ１０１ｂの移動量に基づき、フォーカス位置に最適な照射範囲を達成するように駆動装置３９ａを駆動する信号が送られる。
【００３６】
次に、カメラ１００の動作について説明する。ユーザは、まず、電源スイッチ１０５ａをオンにする。次いで、モニタ１０７において照射範囲の設定モードを選択する。設定モードにおいてユーザは、照射される光の縦横（アスペクト）比を、所望により、例えば６×９や３×４に設定する。この設定により、制御部１０４を介して反射面制御回路１０８が駆動され、反射面３４ａの曲率が変更される。
【００３７】
ユーザは、図示しない操作部を操作して、レンズのズーム位置を変更する。そうすると制御部１０４より、ズーム制御部１１１を介してズームレンズ１０１ａが駆動される。このとき、そのズーム情報に応じて、駆動制御回路１１０を介して駆動装置３９ａにより発光部３２が上下（Ｙ方向）に移動される。なお、この発光部３２の上下（Ｙ）方向の移動に伴って、この発光部３２の移動後の位置で、照射光のアスペクト比が所望のアスペクト比になるよう、反射面３４ａの曲率が再調整される。この上下移動により発光部３２は、反射部３４に対して、設定されたレンズズーム位置において被写体を照射するのに最適な大きさの白色光を形成することができるような位置に配置される。
【００３８】
この状態で、レリーズスイッチ１０５ｂを半押しすると、フォーカス制御回路１１２によりフォーカスレンズ１０１ｂが駆動されて合焦し、レリーズスイッチ１０５ｂの全押しにより、シャッタ制御回路１１３を介してシャッタ１０１ｃが開閉し、それに伴い、制御部１０４からの青色ＬＥＤ駆動回路１０９に発光を支持する信号が到達し、閃光装置３０が発光する。
【００３９】
このとき、青色ＬＥＤ４２ａから発せられた光は、収納部３３の開口部より反射部３４方向へ若干広がりながら進み、反射面３４ａで反射されて白色光に変換される。このとき、反射面３４ａは湾曲しているため、入射した光は、反射面３４ａにより反射される際に、光軸に対して垂直な方向の断面が略楕円形の光に変換される。この略楕円形の光の縦横比は、ユーザにより設定された所望の比率となる。また、被写体に照射される光の大きさは、撮影画角に必要最小限な大きさとなる。
【００４０】
以上、第３実施形態によると、第１実施形態の効果に加え、以下の効果を有する。
（１）ズームレンズ１０１ａのズーム位置に連動して発光部３２が移動される。したがって、ユーザがズームレンズ１０１ａを駆動してズーム位置を選択すると、そのズーム位置に応じた適切な照射範囲を自動的に設定することができる。
【００４１】
（変形形態）
以上、説明した実施形態に限定されることなく、以下に示すような種々の変形や変更が可能であり、それらも本発明の範囲内である。
（１）上述した実施形態では、短波長光として青色ＬＥＤより発せられる青色光を用いた。しかし、本発明はこれに限らず、例えばより短い波長を有する紫光や紫外線であってもよい。
（２）上述した第１，３実施形態では、反射面を、発光部から発せられて反射面に入射した光束の光軸が略直角に方向転換するように、すなわち、入射角及び反射角が４５度になるように配置した。しかし、本発明はこれに限らず、例えば入射角及び反射角が４５度より大きくなるように配置してもよく、また４５度より小さくなるように配置してもよい。
（３）上述の実施形態では、被写体に照射される光束を横方向に広げるように反射面を湾曲させる形態について説明した。しかし、本発明はこれに限定されない。例えば、被写体に照射される光束が縦方向に広がるように反射面を湾曲させるようにしてもよい。
（４）上述の実施形態では、発光部と反射部との間の、光軸方向における相対距離が可変である形態について説明した。しかし本発明はこれに限定されず、発光部は、光軸方向と垂直な面内において移動可能であってもよい。
なお、実施形態及び変形形態は、適宜組み合わせて用いることもできるが、詳細な説明は省略する。また、本発明は以上説明した実施形態によって限定されることはない。
【図面の簡単な説明】
【００４２】
【図１】本発明の第１実施形態の閃光装置の概略図である。
【図２】第１実施形態の閃光装置の概略斜視図であり、（ａ）は発光部と反射部との距離がＹ１の場合、（ｂ）は発光部と反射部との距離がＹ２の場合、（ｃ）は発光部と反射部との距離がＹ３の場合を示す。
【図３】反射面により反射されて被写体に照射された光を示した図であり、（ａ）〜（ｃ）は、図２の（ａ）〜（ｃ）に対応する。
【図４】第１実施形態に対する比較形態における閃光装置の概略図である。
【図５】比較形態の場合における被写体に照射される光を示したものである。
【図６】第２実施形態の閃光装置の概略斜視図であり、（ａ）は発光部と反射部との距離がＺ１の場合、（ｂ）は発光部と反射部との距離がＺ２の場合、（ｃ）は発光部と反射部との距離がＺ３の場合を示す。
【図７】本発明の第３実施形態の閃光装置を備えるカメラの構成図である。
【符号の説明】
【００４３】
１０，２０，３０：閃光装置、１２，２２，３２：発光部、１２ａ，２２ａ，３２ａ：青色ＬＥＤ、１４，２４，３４：反射部、１４ａ，２４ａ，３４ａ：反射面、１９，３９：保持部材。２９柱部材、１９ａ，２９ａ，３９ａ：駆動装置
【図１】
2009222949.tif 000003
【図２】
2009222949.tif 000004
【図３】
2009222949.tif 000005
【図４】
2009222949.tif 000006
【図５】
2009222949.tif 000007
【図６】
2009222949.tif 000008
【図７】
2009222949.tif 000009